(57)【特許請求の範囲】
【請求項１】
建物の開口部を開閉する扉体であり、
見込み方向から見た形状が略環状である支持部材と、
当該扉体の２つの主側面のいずれか一方を構成する第１表面材であって、少なくとも前記支持部材における見込み方向の一方側の側面の略全体と、前記支持部材によって囲繞された部分における見込み方向の一方側の側面全体とを覆う第１表面材と、
当該扉体の２つの主側面のいずれか他方を構成する第２表面材であって、少なくとも前記支持部材における見込み方向の他方側の側面の略全体と、前記支持部材によって囲繞された部分における見込み方向の他方側の側面全体とを覆う第２表面材と、を有する扉体を備えた扉であって、
前記扉体の前記第１表面材における見込み方向の外側の側面である第１外側面の略全体、又は、前記扉体の前記第２表面材における見込み方向の外側の側面である第２外側面の略全体の少なくともいずれか一方を覆う遮熱手段と、
前記遮熱手段における見込み方向の外側の側面の略全体を覆うと共に、前記遮熱手段の見込面を覆う、不燃性を有する化粧板と、
を備えた、扉。
【請求項２】
前記化粧板の部分のうち前記遮熱手段の見込面を覆う部分が外部に露出するように、前記化粧板を設けた、
請求項１に記載の扉。
【請求項３】
前記化粧板の部分のうち少なくとも前記遮熱手段の見込面を覆う部分を、前記扉体の前記第１表面材及び前記扉体の前記第２表面材と接触しないように設けた、
請求項１又は２に記載の扉。
【請求項４】
前記扉体の前記第１表面材における前記第１外側面の略全体、及び前記扉体の前記第２表面材における前記第２外側面の略全体が前記遮熱手段によって覆われるように、当該遮熱手段を当該第１表面材及び当該第２表面材にそれぞれ設けた、
請求項１から３のいずれか一項に記載の扉。
【請求項５】
前記扉体、前記遮熱手段、又は前記化粧板の少なくともいずれか１つに設けられた熱膨張耐火部材であって、前記扉体によって前記開口部を全閉した全閉状態において前記扉体の周辺で火災が発生した場合に、当該熱膨張耐火部材が前記火災の熱で膨張することにより、前記扉体、前記遮熱手段、又は前記化粧板と前記開口部の周縁に設けられた枠体との相互間に形成されている隙間を塞ぐための熱膨張耐火部材を備えた、
請求項１から４のいずれか一項に記載の扉。
【発明の詳細な説明】
【技術分野】
【０００１】
本発明は、扉に関する。
【背景技術】
【０００２】
従来、玄関等に設けられる扉として、遮熱性能を向上させることができる扉が提案されている。例えば、特許文献１には、グラスウールと、鋼板と、耐火材とを有する扉体を備えた扉が開示されている。この扉体は、具体的には、グラスウールの側面のうち、室外側の側面、上側面、下側面、左側面、及び右側面が鋼板によって覆われていると共に、室内側の側面が耐火材によって覆われている。また、この耐火材は、当該耐火材の室内側の側面のみが外部に露出するように、鋼板に嵌合されて設けられている（特許文献１参照）。このような扉により、扉の遮熱性能を向上させることができると共に、耐火材の室内側の側面以外の側面が鋼板及びグラスウールによって覆われていることにより、耐火材の破損を少なくすることができる。
【０００３】
また、特許文献２には、ドア枠及び補強桟と、ドア枠及び補強桟の周囲を覆う一対の表面材と、ドア枠及び補強桟と各表面材との相互間に挟持された石コウ層とを有する扉体を備えた扉が開示されている（特許文献２参照）。このような扉により、扉の意匠性を維持しながら、扉の遮熱性能を向上させることができる。
【先行技術文献】
【特許文献】
【０００４】
【特許文献１】実開昭６１−４３３９１号公報
【特許文献２】実開昭４９−１１４７３４号公報
【発明の概要】
【発明が解決しようとする課題】
【０００５】
しかしながら、上記特許文献１に記載の従来の扉においては、上述したように、耐火材の室内側の側面が外部に露出しているので、例えば、耐火材が塗装しづらい材質で形成されている場合には、当該扉とその周囲に設けられている部材との意匠上の統一性を図ることが難しく、また、耐火材の室内側の側面を破損しないように維持することが難しいことから、扉の意匠性を低下させる可能性があった。また、上記特許文献２に記載の従来の扉においては、上述したように、石コウ層が扉の内部に収容されているので、例えば、一対の表面材のいずれか一方が火災の熱で熱せられた場合には、一対の表面材間に生じる温度差によって扉全体が反り変形することで、当該扉と当該扉によって開閉される開口部の周辺に設けられた枠体との相互間に隙間が生じ、この隙間を介して上記火災の熱が伝わるおそれがあることから、扉の遮熱性能を維持することが難しくなる可能性があった。
【０００６】
本発明は、上記従来技術における課題を解決するためのものであって、扉の意匠性及び遮熱性能を維持することが可能になる、扉を提供することを目的とする。
【課題を解決するための手段】
【０００７】
上述した課題を解決し、目的を達成するために、請求項１に記載の扉は、建物の開口部を開閉する扉体であり、見込み方向から見た形状が略環状である支持部材と、当該扉体の２つの主側面のいずれか一方を構成する第１表面材であって、少なくとも前記支持部材における見込み方向の一方側の側面の略全体と、前記支持部材によって囲繞された部分における見込み方向の一方側の側面全体とを覆う第１表面材と、当該扉体の２つの主側面のいずれか他方を構成する第２表面材であって、少なくとも前記支持部材における見込み方向の他方側の側面の略全体と、前記支持部材によって囲繞された部分における見込み方向の他方側の側面全体とを覆う第２表面材と、を有する扉体を備えた扉であって、前記扉体の前記第１表面材における見込み方向の外側の側面である第１外側面の略全体、又は、前記扉体の前記第２表面材における見込み方向の外側の側面である第２外側面の略全体の少なくともいずれか一方を覆う遮熱手段と、前記遮熱手段における見込み方向の外側の側面の略全体を覆うと共に、前記遮熱手段の見込面を覆う、不燃性を有する化粧板と、を備えた。
【０００８】
請求項２に記載の扉は、請求項１に記載の扉において、前記化粧板の部分のうち前記遮熱手段の見込面を覆う部分が外部に露出するように、前記化粧板を設けた。
【０００９】
請求項３に記載の扉は、請求項１又は２に記載の扉において、前記化粧板の部分のうち少なくとも前記遮熱手段の見込面を覆う部分を、前記扉体の前記第１表面材及び前記扉体の前記第２表面材と接触しないように設けた。
【００１０】
請求項４に記載の扉は、請求項１から３のいずれか一項に記載の扉において、前記扉体の前記第１表面材における前記第１外側面の略全体、及び前記扉体の前記第２表面材における前記第２外側面の略全体が前記遮熱手段によって覆われるように、当該遮熱手段を当該第１表面材及び当該第２表面材にそれぞれ設けた。
請求項５に記載の扉は、請求項１から４のいずれか一項に記載の扉において、前記扉体、前記遮熱手段、又は前記化粧板の少なくともいずれか１つに設けられた熱膨張耐火部材であって、前記扉体によって前記開口部を全閉した全閉状態において前記扉体の周辺で火災が発生した場合に、当該熱膨張耐火部材が前記火災の熱で膨張することにより、前記扉体、前記遮熱手段、又は前記化粧板と前記開口部の周縁に設けられた枠体との相互間に形成されている隙間を塞ぐための熱膨張耐火部材を備えた。
【発明の効果】
【００１１】
請求項１に記載の扉によれば、扉体の第１表面材における第１外側面の略全体、又は、扉体の第２表面材における第２外側面の略全体の少なくともいずれか一方を覆う遮熱手段を備えているので、遮熱手段によって、扉体の見込み方向のいずれか一方側で発生した火災の熱が扉体に伝導することを抑制することができる。これにより、上記火災が発生した場合でも、第１表面材と第２表面材との相互間で温度差が生じにくくなることから、扉全体が反り変形することを回避できる。よって、遮熱手段を設けない場合に比べて、上記扉の反り変形によって、扉と開口部の周辺に設けられた枠体との相互間に隙間が生じることにより、この隙間を介して上記火災の熱が見込み方向に伝わることを回避できる。また、遮熱手段における見込み方向の外側の側面の略全体を覆う、不燃性を有する化粧板を備えているので、遮熱手段における見込み方向の外側の側面の略全体を外部から非露出状にすることができ、化粧板を設けない場合に比べて、例えば、遮熱手段が外力を受けることによって当該遮熱手段が損傷することを回避できると共に、遮熱手段に比べて塗装が容易な化粧板で遮熱手段を覆うことから、扉とその周囲に設けられている部材との意匠上の統一性が図りやすくなる。以上のことから、従来技術に比べて、扉の意匠性及び遮熱性能を維持することが可能になる。
【００１２】
請求項３に記載の扉によれば、化粧板を、扉体の第１表面材及び扉体の第２表面材と接触しないように設けたので、扉体よりも化粧板側で発生した火災の熱が化粧板を介して扉体の第１表面材及び扉体の第２表面材に伝達されることを抑制でき、扉の遮熱性能を一層向上させることが可能になる。
【００１３】
請求項４に記載の扉によれば、扉体の第１表面材における第１外側面の略全体、及び扉体の第２表面材における第２外側面の略全体が遮熱手段によって覆われるように、当該遮熱手段を当該第１表面材及び当該第２表面材にそれぞれ設けたので、扉体の第１表面材における第１外側面の略全体、又は扉体の第２表面材における第２外側面の略全体のいずれか一方のみが遮熱手段によって覆われる場合に比べて、扉の意匠性及び遮熱性能を一層維持することが可能となる。
【００１４】
請求項５に記載の扉によれば、扉体、遮熱手段、又は化粧板の少なくともいずれか１つに設けられた熱膨張耐火部材であって、全閉状態において扉体の周辺で火災が発生した場合に、当該熱膨張耐火部材が火災の熱で膨張することにより、扉体、遮熱手段、又は化粧板と枠体との相互間に形成されている隙間を塞ぐための熱膨張耐火部材を備えたので、上記隙間を介して上記火災の熱が伝わることを抑制することができ、扉の遮熱性能をさらに一層向上させることが可能となる。
【図面の簡単な説明】
【００１５】
【図１】本発明の実施の形態１に係る扉であって、全閉状態を示す正面図である。
【図２】図１の扉の背面図である。
【図３】図１の扉のＡ−Ａ矢視断面図である。
【図４】図１の扉のＢ−Ｂ矢視断面図である。
【図５】実施の形態２に係る扉を示す図であって、図３に対応する領域を示す図である。
【図６】実施の形態２に係る扉を示す図であって、図４に対応する領域を示す図である。
【発明を実施するための形態】
【００１６】
以下に添付図面を参照して、この発明に係る扉の実施の形態を詳細に説明する。まず、〔I〕実施の形態の基本的概念について説明した後、〔II〕実施の形態の具体的内容について説明し、最後に、〔III〕各実施の形態に対する変形例について説明する。ただし、実施の形態によって本発明が限定されるものではない。
【００１７】
〔I〕実施の形態の基本的概念
まず、実施の形態の基本的概念について説明する。実施の形態は、概略的に、建物の開口部を開閉する扉体を備えた扉に関するものである。
【００１８】
ここで、「建物」とは、その具体的な構造や種類は任意であるが、例えば、オフィスビル、工場施設、及び公共施設等を含む概念である。また、「建物の開口部」とは、建物の躯体の一部分（例えば、壁、天井、又は床等）において窓や入り口を設置するために形成された開口部である。また、「扉（ドア）」は、建物の開口部の出入り又は視界を抑制又は制限するための構造体を意味する。また、扉の取り付け位置や用途は任意であるが、例えば玄関に設置される「玄関扉」、勝手口や通用口に設置される「勝手口扉」、あるいは建物内部に設置される「室内扉」等を含む。また、扉の開閉構造は任意であり、例えば、片開式の戸、両開式の戸、片引式の戸、引分式の戸として構成することができる。以下、実施の形態では、扉が、学校等の公共施設の如き建物の避難通路に面する位置に設けられた片開式の戸であって、この避難通路に隣接する部屋の中で火災が発生した場合に、当該火災の熱が当該扉を介して避難通路側に伝導することを抑制できる戸（すなわち、片開式の遮熱扉）である場合について説明する。
【００１９】
〔II〕実施の形態の具体的内容
次に、実施の形態の具体的内容について説明する。
【００２０】
〔実施の形態１〕
まず、実施の形態１に係る扉について説明する。この実施の形態１は、後述する室外側表面材における第１外側面の略全体を覆う後述する室外側遮熱部、及び後述する室内側表面材における第２外側面の略全体を覆う後述する室内側遮熱部を備えた形態である。
【００２１】
（構成）
最初に、実施の形態１に係る扉の構成について説明する。以下の説明では、図１のＸ方向を扉の左右方向又は幅方向（−Ｘ方向を扉の左方向、＋Ｘ方向を扉の右方向）、図３のＹ方向を扉の前後方向（＋Ｙ方向を扉の前方向（部屋の室外側の方向）、−Ｙ方向を扉の後方向（部屋の室内側の方向））、図１のＺ方向を扉の上下方向（＋Ｚ方向を扉の上方向、−Ｚ方向を扉の下方向）と称する。
【００２２】
図１から図４に示すように、扉１は、概略的に、枠体１０と、扉体２０と、室外側遮熱体６０と、室内側遮熱体７０と、ヒンジ部５０と、を備えて構成されている。ただし、扉１に関する特記しない構成については、従来と同様であるものとして説明を省略する。なお、後述する扉１を構成する各種部材同士の取付方法（又は接続方法）については任意であるが、例えば、取付側の部材又は取付相手側の部材に形成された取付孔（例えば、リベット孔、ネジ孔、ビス孔等）を介して、取付側の部材を取付相手側の部材に対して固定具（例えば、リベット、取付ネジ、ビス等）、溶接、接着剤、両面テープ等によって取り付ける（又は接続する）方法が採用されている。
【００２３】
（構成−枠体）
枠体１０は、建物の躯体（図示省略）に形成された開口部３の周縁に設置されるものであり、左右一対の縦枠１１、１２及び上下一対の横枠１３、１４を備える。これら縦枠１１、１２及び横枠１３、１４は、それぞれ開口部の周縁における建物の躯体に公知の方法で直接的に固定されており、相互に組み合わせられることにより全体として正面矩形環状の枠体１０を構成する。以下では、必要に応じて、左右一対の縦枠１１、１２のうち、戸先側の縦枠１１を「戸先側縦枠１１」と称し、戸尻側の縦枠１２を「戸尻側縦枠１２」と称する。また、上下一対の横枠１３、１４のうち、上側の横枠１３を「上側横枠１３」と称し、下側の横枠１４を「下側横枠１４」と称する。
【００２４】
ここで、図４に示すように、戸先側縦枠１１の一部（図４に示す点線部分）、戸尻側縦枠１２の一部、及び下側横枠１４の一部が建物の床面よりも下方に位置するように、これら戸先側縦枠１１、戸尻側縦枠１２、及び下側横枠１４が設けられている。また、戸先側縦枠１１には、デッドボルト受けと、ラッチ受けとが設けられている（いずれも図示省略）。デッドボルト受けは、扉体２０を全閉位置（実施の形態１においては図１に示す位置）に位置させた状態において、扉体２０に設けられた後述する公知のデッドボルトを受けるためのデッドボルト受容手段であり、後述するデッドボルトと対応する位置に配置されている。ラッチ受けは、扉体２０に設けられた後述するラッチを受けるためのラッチ受容手段であり、ラッチと対応する位置に配置されている。
【００２５】
（構成−扉体）
扉体２０は、建物の開口部を開閉するための平板状の開閉体であり、図３に示すように、扉枠３０と、表面材４１、４２とを備えている。
【００２６】
（構成−扉体−扉枠）
扉枠３０は、扉体２０の剛性を主として担う支持部材である。この扉枠３０は、左右一対の縦力骨３１、３２及び上下一対の横力骨３３、３４を組み合わせることによって、正面形状が矩形環状となるように形成されている。このうち、左右一対の縦力骨３１、３２は、長手方向（上下方向）の長さが相互に略同一となるように形成されており、上下方向に略沿うように設けられている。また、上下一対の横力骨３３、３４は、長手方向（左右方向）の長さが相互に略同一となるように形成されており、左右方向に略沿うように設けられている。以下では、必要に応じて、縦力骨３１、３２のうち、戸先側の縦力骨３１を「戸先側縦力骨３１」と称し、戸尻側の縦力骨３２を「戸尻側縦力骨３２」と称する。また、横力骨３３、３４のうち、上側の横力骨３３を「上側横力骨３３」と称し、下側の横力骨３４を「下側横力骨３４」と称する。
【００２７】
また、戸先側縦力骨３１と戸尻側縦力骨３２との相互間には、中骨３５が相互に間隔を隔てて左右方向に沿って複数並設されている。中骨３５は、扉枠３０を補強するものであり、長手方向（上下方向）の長さが戸先側縦力骨３１（又は戸尻側縦力骨３２）の長手方向（上下方向）の長さと略同一となるように形成され、上下方向に略沿うように設置されている。
【００２８】
（構成−扉体−表面材）
表面材４１は、扉体２０の２つの主側面のいずれか一方を構成するものであって、少なくとも扉枠３０における見込み方向（前後方向）の一方側の側面の略全体を覆う第１表面材であり、表面材４２は、扉体２０の２つの主側面のいずれか他方を構成するものであって、少なくとも扉枠３０における見込み方向（前後方向）の他方側の側面の略全体を覆う第２表面材である。ここで、「主側面」とは、扉体２０の側面のうち、面積が最も大きな側面を意味し、実施の形態１では、見込み方向（前後方向）に直交する２つの側面、すなわち扉体２０の部屋の室外側の側面及び扉体２０の部屋の室内側の側面を「主側面」として説明する。また、「扉枠３０における見込み方向の一方側（又は他方側）の側面の略全体」とは、扉枠３０における見込み方向（前後方向）の一方側（又は他方側）の側面の一部の範囲が除かれているものの、当該側面全体の範囲と近似した範囲を意味する。実施の形態１においては、図３、図４に示すように、表面材４１は、扉枠３０の側面のうち、見込み方向（前後方向）の一方側（部屋の室外側）の側面全体、戸先側の側面の一部、戸尻側の側面の一部、及び上側面の一部を覆うものとして説明するが、これに限られず、例えば、扉枠３０の側面における見込み方向（前後方向）の一方側（部屋の室外側）の側面全体（又は、当該側面の略全体）のみを覆うものであってもよい（なお、表面材４２についても同様とする）。また、これら表面材４１、４２は、例えば薄厚な鋼材（具体的には、スチール、ステンレス）等を用いて構成されており、扉枠３０を部屋の室外側及び室内側から覆うように設けられ、扉枠３０に対して溶接等によって固定されている。以下では、必要に応じて、これら表面材４１、４２のうち、部屋の室外側に配置された表面材４１を「室外側表面材４１」と称し、部屋の室内側に配置された表面材４２を「室内側表面材４２」と称する。
【００２９】
（構成−室外側遮熱体）
室外側遮熱体６０は、扉１における部屋の室外側の遮熱性能を向上させるためのものであり、図１、図３、図４に示すように、扉体２０よりも部屋の室外側に設けられている。なお、この室外側遮熱体６０の構成の詳細については後述する。
【００３０】
（構成−室内側遮熱体）
室内側遮熱体７０は、扉１における部屋の室内側の遮熱性能を向上させるためのものであり、図２、図３、図４に示すように、扉体２０よりも部屋の室内側に設けられている。なお、この室内側遮熱体７０の構成の詳細については後述する。
【００３１】
（構成−ヒンジ部）
ヒンジ部５０は、扉体２０を戸尻側縦枠１２に対して回動自在に軸支するためのものである。このヒンジ部５０は、戸尻側の端部において、相互に間隔を隔てて上下方向に沿って複数並設されている。また、このヒンジ部５０は、公知の旗蝶番等を用いて構成されており、具体的には、図１、図３に示すように、円筒状の上軸受５１と、上軸受５１に差し込み自在な棒状の下軸５２と、上軸受５１に接続された上支持片５３と、下軸５２に接続された下支持片（図示省略）とを備えており、上軸受５１及び下軸５２が扉体２０よりも部屋の室外側に位置するように設けられている。ここで、ヒンジ部５０の固定方法については任意であるが、実施の形態１においては、まず、上支持片５３に形成された取付孔（図示省略）、室外側表面材４１に形成された取付孔（図示省略）、及び戸尻側縦力骨３２に形成された取付孔（図示省略）を介して、上支持片５３を戸尻側縦力骨３２に対して固定具により固定する。次に、下支持片に形成された取付孔（図示省略）、戸尻側縦枠１２に形成された取付孔（図示省略）、戸尻側縦枠１２の内部に設けられたライナ５４に形成された取付孔（図示省略）を介して、下支持片を戸尻側縦枠１２に対して固定具により固定する。そして、この下支持片と接続された下軸５２を、この上支持片５３と接続された上軸受５１に差し込むことにより、このヒンジ部５０を介して扉体２０と戸尻側縦枠１２とを連結する。
【００３２】
（構成−枠体−戸先側縦枠及び戸尻側縦枠の構成の詳細）
次に、枠体１０の戸先側縦枠１１及び戸尻側縦枠１２の構成の詳細について説明する。ただし、戸先側縦枠１１及び戸尻側縦枠１２は、特記する場合を除いて、任意の形状、方法、及び材質で製造することができる。実施の形態１において、図３に示すように、戸先側縦枠１１及び戸尻側縦枠１２の各々は、枠材１１０と、固定材１２０とを備えている。
【００３３】
枠材１１０は、戸先側縦枠１１（又は戸尻側縦枠１２）の基本構造体である。この枠材１１０は、横断面形状が左右方向の外側に向けて開放された略コ字状となるように形成された中空状体であり、開口部の上下方向の全長にわたって形成されている。ここで、枠材１１０の具体的な構成については任意であるが、実施の形態１では、戸先側縦枠１１の枠材１１０においては、図３に示すように、枠材１１０における扉体２０に対応する部分を、左右方向の外側に向けて凹ませることにより、扉体２０を収容しながら、枠材１１０と扉体２０との干渉を回避することが可能な空間ＤＳ１（以下、「扉体干渉回避空間ＤＳ１」と称する）が形成されている（なお、戸尻側縦枠１２の枠材１１０側の扉体干渉回避空間ＤＳ２の形成についても同様とする）。また、戸尻側縦枠１２の枠材１１０においては、図３に示すように、枠材１１０における扉体２０よりも部屋の室外側の部分を、左右方向の外側に向けて凹ませると共に、室外側遮熱体６０をヒンジ部５０と間隔を隔てて設けることで、ヒンジ部５０を収容しながら、枠材１１０（又は室外側遮熱体６０）とヒンジ部５０との干渉を回避することが可能な空間ＨＳ（以下、「ヒンジ部干渉回避空間ＨＳ」と称する）が形成されている。なお、枠体１０の意匠性の観点から、戸先側縦枠１１の枠材１１０における扉体２０よりも部屋の室外側の部分も、戸尻側縦枠１２の枠材１１０における扉体２０よりも部屋の室外側の部分の形状と略同様になるように、戸先側縦枠１１の枠材１１０が形成されている。
【００３４】
固定材１２０は、枠材１１０を建物の躯体に対して固定するためのものである。この固定材１２０は、略直線状の板状体にて形成されており、具体的には、当該固定材１２０の前後方向の長さが枠材１１０のコ字状の開放端部における前後方向の長さと略同一（又はそれ以上の長さ）であり、当該固定材１２０の上下方向の長さが枠材１１０の上下方向の長さよりも短くなるように形成されている。また、この固定材１２０は、枠材１１０のコ字状の開放端部側（枠材１１０の左右方向の外側の端部側）において、所定間隔を隔てて上下方向に沿って複数並設されており、枠材１１０及び建物の躯体に対して溶接等によって固定されている。
【００３５】
（構成−枠体−上側横枠及び下側横枠の構成の詳細）
次に、枠体１０の上側横枠１３及び下側横枠１４の構成の詳細について説明する。ただし、上側横枠１３及び下側横枠１４は、特記する場合を除いて、任意の形状、方法、及び材質で製造することができる。実施の形態１において、図４に示すように、上側横枠１３及び下側横枠１４の各々は、枠材１３０と、固定材１４０とを備えている。
【００３６】
枠材１３０は、上側横枠１３（又は下側横枠１４）の基本構造体である。この枠材１３０は、左右方向に直交する方交の断面形状が上下方向の外側に向けて開放された略Ｕ字状となるように形成された中空状体であり、開口部の左右方向の全長にわたって形成されている。ここで、枠材１３０の具体的な構成については任意であるが、実施の形態１では、上側横枠１３の枠材１３０においては、図４に示すように、枠材１３０における室内側遮熱体７０よりも部屋の室外側の部分を、上下方向の外側に向けて凹ませることにより、扉体２０及び室外側遮熱体６０を収容しながら、枠材１３０と扉体２０（又は室外側遮熱体６０）との干渉を回避することが可能な空間ＤＳ３（以下、「扉体干渉回避空間ＤＳ３」と称する）が形成されている。また、下側横枠１４の枠材１３０においては、図４に示すように、扉体２０及び室外側遮熱体６０を収容しながら、枠材１３０と扉体２０（又は室外側遮熱体６０）との干渉を回避することが可能な空間ＤＳ４（以下、「扉体干渉回避空間ＤＳ４」と称する）が形成されるように、下側横枠１４の枠材１３０の上下方向の長さ（高さ）が設定されている。
【００３７】
固定材１４０は、枠材１３０を建物の躯体に対して固定するためのものである。この固定材１４０は、略直線状の板状体にて形成されており、具体的には、当該固定材１４０の前後方向の長さが枠材１３０のコ字状の開放端部における前後方向の長さと略同一（又はそれ以上の長さ）であり、当該固定材１４０の左右方向の長さが枠材１３０の左右方向の長さよりも短くなるように形成されている。また、この固定材１４０は、枠材１３０のコ字状の開放端部側（枠材１３０の上下方向の外側の端部側）において、所定間隔を隔てて左右方向に沿って複数並設配置されており、枠材１３０及び建物の躯体に対して溶接等によって固定されている。
【００３８】
（構成−扉枠の構成の詳細）
次に、扉枠３０の構成の詳細について説明する。この扉枠３０を構成する戸先側縦力骨３１、戸尻側縦力骨３２、上側横力骨３３、下側横力骨３４、及び中骨３５は、特記する場合を除いて、任意の形状、方法、及び材質で製造することができる。実施の形態１においては、戸先側縦力骨３１、戸尻側縦力骨３２、上側横力骨３３、下側横力骨３４、及び中骨３５の各々は、自己の長手方向に直交する断面の断面形状がコ字状となるように形成されている。具体的には、図３に示すように、戸先側縦力骨３１は、中央片３６と、部屋の室外側に位置する室外側片３７と、部屋の室内側に位置する室内側片３８とを有している。また、図３、図４に示すように、戸尻側縦力骨３２、上側横力骨３３、下側横力骨３４、及び中骨３５の各々も、戸先側縦力骨３１と同様に、中央片３６と、部屋の室外側に位置する室外側片３７と、部屋の室内側に位置する室内側片３８とを有している。なお、このような戸先側縦力骨３１、戸尻側縦力骨３２、上側横力骨３３、下側横力骨３４、及び中骨３５の材質について、実施の形態１では、鋼材（具体的には、スチール、ステンレス）等の不燃性を有する材質で製造されている。
【００３９】
（構成−室外側遮熱体の構成の詳細）
次に、室外側遮熱体６０の構成の詳細について説明する。図３、図４に示すように、室外側遮熱体６０は、室外側遮熱部６１及び室外側化粧板６２を備えて構成されている。
【００４０】
（構成−室外側遮熱体の構成の詳細−室外側遮熱部）
室外側遮熱部６１は、部屋の室外側で発生した火災の熱が扉体２０に伝導することを抑制するための遮熱手段である。この室外側遮熱部６１は、例えば公知の遮熱部材（具体的には、ケイ酸カルシウム板等）を用いて構成されており、図３、図４に示すように、扉体２０の室外側表面材４１に設置されている。
【００４１】
ここで、室外側遮熱部６１の設置位置及び形状については、部屋の室外側で発生した火災の熱が扉体２０に伝導することを抑制することができる限り、任意に設定することができる。実施の形態１においては、室外側遮熱部６１は、扉体２０の室外側表面材４１における見込み方向（前後方向）の外側の側面Ｆ１（以下、「第１外側面Ｆ１」と称する）の略全体が覆われるように設けられている。ここで、「扉体２０の室外側表面材４１における第１外側面Ｆ１の略全体」とは、第１外側面Ｆ１の一部の範囲が除かれているものの、第１外側面Ｆ１全体の範囲と近似した範囲であり、且つ、当該範囲を室外側遮熱部６１で覆った場合の遮熱性能が第１外側面Ｆ１全体を室外側遮熱部６１で覆った場合の遮熱性能と同等となる範囲（又は、室外側遮熱部６１を第１外側面Ｆ１に設けた場合に、室外側遮熱部６１が枠体１０及びヒンジ部５０と干渉しない範囲）を意味し、例えば、実験結果等に基づいて決定された範囲を「扉体２０の室外側表面材４１における第１外側面Ｆ１の略全体」として設定される。
【００４２】
具体的には、この室外側遮熱部６１によって覆われる領域については、以下に示す通りに設定されている。すなわち、左右方向の領域については、図３に示すように、第１外側面Ｆ１のうち、当該第１外側面Ｆ１の左端部からヒンジ部干渉回避空間ＨＳに対応する部分に至るまでの長さと略同一又はそれよりも若干短くなるように、当該左端部から右方に向けて所定距離Ｌ１に至る領域に設定されている。また、上下方向の領域については、図４に示すように、第１外側面Ｆ１の上下方向の全長（又はそれよりも若干短い長さ）にわたる領域に設定されている。また、この室外側遮熱部６１の前後方向の長さ（厚さ）については、部屋の室外側で発生した火災の熱が扉体２０に伝導することを抑制するために必要な当該長さ（厚さ）が、室外側遮熱部６１の材質に応じて異なり得ることから、実験結果等に基づいて設定されている（なお、後述する室内側遮熱部７１の前後方向の長さ（厚さ）についても同様とする）。このような設置位置及び形状により、室外側遮熱部６１によって、部屋の室外側で発生した火災の熱が扉体２０に伝導することを抑制することができる。これにより、部屋の室外側で火災が発生した場合でも、室外側表面材４１と室内側表面材４２との相互間で温度差が生じにくくなることから、扉１全体が反り変形することを回避できる。よって、室外側遮熱部６１を設けない場合に比べて、扉１の反り変形によって、扉１と枠体１０との相互間に隙間が生じることにより、この隙間を介して上記火災の熱が部屋の室内側に向けて伝わることを回避できる。
【００４３】
（構成−室外側遮熱体の構成の詳細−室外側化粧板）
室外側化粧板６２は、室外側遮熱部６１における見込み方向（前後方向）の外側（部屋の室外側）の側面の略全体を覆う化粧体である。ここで、「室外側遮熱部６１における見込み方向のいずれか一方の外側の側面の略全体」とは、この側面の一部の範囲が除かれているものの、この側面全体の範囲と近似した範囲を意味する。この室外側化粧板６２は、例えば、鋼材（具体的には、スチール、ステンレス）等の不燃性を有する材質にて形成された公知の化粧板等を用いて構成されており、室外側遮熱部６１を部屋の室外側から覆うように設けられている。
【００４４】
ここで、室外側化粧板６２の設置位置及び形状については、扉１の意匠性を維持し、且つ、部屋の室外側で発生した火災の熱が室外側化粧板６２を介して扉体２０の室外側表面材４１及び室内側表面材４２に伝達されることを抑制できるように設定されている限り、任意に設定することができる。実施の形態１においては、室外側化粧板６２は、室外側遮熱部６１の側面のうち、部屋の室外側の側面全体、戸先側の側面の一部、戸尻側の側面の一部、上側面の一部、及び下側面の一部が覆われるように設けられ、且つ、室外側化粧板６２が扉体２０の室外側表面材４１及び室内側表面材４２と接触しないように設けられている。
【００４５】
具体的には、この室外側化粧板６２によって覆われる領域については、以下に示す通りに設定されている（ただし、部屋の室外側の側面に対応する領域については省略する）。すなわち、上記戸先側の側面の一部に対応する領域において、前後方向の領域については、図３に示すように、室外側遮熱部６１における戸先側の側面の前端部から後端部よりも若干前側部分に至るまでの長さと略同一又はそれよりも若干短くなるように、当該前端部から後方に向けて所定距離Ｌ２に至る領域に設定されている。また、上下方向の領域については、室外側遮熱部６１における戸先側の側面の上下方向の全長（又は、それよりも若干短い長さ）にわたる領域に設定されている（なお、上記戸尻側の側面の一部に対応する領域についても同様とする）。また、上記上側面の一部に対応する領域において、前後方向の領域については、図４に示すように、室外側遮熱部６１の上側面の前端部から後端部よりも若干前側部分に至るまでの長さと略同一又はそれよりも若干短くなるように、当該前端部から後方に向けて所定距離Ｌ３に至る領域に設定されている。また、左右方向の領域については、室外側遮熱部６１の上側面の左右方向の全長（又は、それよりも若干短い長さ）にわたる領域に設定されている（なお、上記下側面の一部に対応する領域についても同様とする）。また、この室外側化粧板６２の厚さについては、室外側遮熱部６１の形状を維持しながら、外力から室外側遮熱部６１を保護するために必要な厚さが、室外側化粧板６２の材質に応じて異なり得ることから、実験結果等に基づいて設定されており、具体的には、室外側化粧板６２が鋼材である場合には、１．０ｍｍ以上の厚さに設定されている（なお、後述する室内側化粧板７２の厚さについても同様とする）。このような設置位置及び形状により、室外側遮熱部６１における部屋の室外側の側面全体を外部から非露出状にすることができるので、室外側化粧板６２を設けない場合に比べて、例えば、室外側遮熱部６１が外力を受けることによって当該室外側遮熱部６１が損傷することを回避できると共に、室外側遮熱部６１に比べて塗装が容易な室外側化粧板６２で室外側遮熱部６１を覆うことから、扉１とその周囲に設けられている部材との意匠上の統一性が図りやすくなるため、意匠性を維持しやすくなる。また、部屋の室外側で発生した火災の熱が室外側化粧板６２を介して扉体２０の室外側表面材４１及び室内側表面材４２に伝達されることを抑制できる。
【００４６】
また、これら室外側遮熱部６１及び室外側化粧板６２の固定方法については任意であるが、実施の形態１においては、図３、図４に示すように、室外側化粧板６２に形成された取付孔（図示省略）、室外側遮熱部６１に形成された取付孔（図示省略）、扉体２０の室外側表面材４１に形成された取付孔（図示省略）、及び、扉体２０の戸先側縦力骨３１、戸尻側縦力骨３２、上側横力骨３３、下側横力骨３４、又は中骨３５の室外側片３７に形成された取付孔（図示省略）を介して、室外側遮熱部６１及び室外側化粧板６２を戸先側縦力骨３１、戸尻側縦力骨３２、上側横力骨３３、下側横力骨３４、又は中骨３５に対して固定具６３により固定する。
【００４７】
以上のような室外側遮熱体６０により、従来技術に比べて、扉１の意匠性及び遮熱性能を維持することが可能になる。
【００４８】
（構成−室内側遮熱体の構成の詳細）
次に、室内側遮熱体７０の構成の詳細について説明する。図３、図４に示すように、室内側遮熱体７０は、室内側遮熱部７１及び室内側化粧板７２を備えて構成されている。
【００４９】
（構成−室内側遮熱体の構成の詳細−室内側遮熱部）
室内側遮熱部７１は、部屋の室内側で発生した火災の熱が扉体２０に伝導することを抑制するための遮熱手段である。この室内側遮熱部７１は、例えば公知の遮熱部材を用いて構成されており、図３、図４に示すように、扉体２０の室内側表面材４２に設置されている。
【００５０】
ここで、室内側遮熱部７１の設置位置及び形状については、部屋の室内側で発生した火災の熱が扉体２０に伝導することを抑制することができる限り、任意に設定することができる。実施の形態１では、室内側遮熱部７１は、扉体２０の室内側表面材４２における見込み方向（前後方向）の外側の側面Ｆ２（以下、「第２外側面Ｆ２」と称する）の略全体が覆われるように設けられている。ここで、「扉体２０の室内側表面材４２における第２外側面Ｆ２の略全体」とは、第２外側面Ｆ２の一部の範囲が除かれているものの、第２外側面Ｆ２全体の範囲と近似した範囲であり、且つ、当該範囲を室内側遮熱部７１で覆った場合の遮熱性能が第２外側面Ｆ２全体を室内側遮熱部７１で覆った場合の遮熱性能と同等となる範囲（又は、室内側遮熱部７１を第２外側面Ｆ２に設けた場合に、室内側遮熱部７１が枠体１０と干渉しない範囲）を意味し、例えば、実験結果等に基づいて決定された範囲を「扉体２０の室内側表面材４２における第２外側面Ｆ２の略全体」として設定される。
【００５１】
具体的には、この室内側遮熱部７１によって覆われる領域については、以下に示す通りに設定されている。すなわち、左右方向の領域については、図３に示すように、第２外側面Ｆ２のうち、扉体干渉回避空間ＤＳ１に対応する部分よりも若干右側部分から扉体干渉回避空間ＤＳ２に対応する部分よりも若干左側部分に至るまでの長さと略同一又はそれよりも若干短くなるように、当該右側部分から左方に向けて所定距離Ｌ４に至る領域に設定されている。また、上下方向の領域については、図４に示すように、第２外側面Ｆ２のうち、扉体干渉回避空間ＤＳ３に対応する部分よりも若干下側部分から扉体干渉回避空間ＤＳ４に対応する部分よりも若干上側部分に至るまでの長さと略同一又はそれよりも若干短くなるように、当該下側部分から下方に向けて所定距離Ｌ５に至る領域に設定されている。このような設置位置及び形状により、室内側遮熱部７１によって、部屋の室内側で発生した火災の熱が扉体２０に伝導することを抑制することができる。また、部屋の室内側で火災が発生した場合でも、室外側表面材４１と室内側表面材４２との相互間で温度差が生じにくくなることから、扉１全体が反り変形することを回避できる。よって、室内側遮熱部７１を設けない場合に比べて、扉１の反り変形によって、扉１と枠体１０との相互間に隙間が生じることにより、この隙間を介して上記火災の熱が部屋の室外側に向けて伝わることを回避できる。
【００５２】
（構成−室内側遮熱体の構成の詳細−室内側化粧板）
室内側化粧板７２は、室内側遮熱部７１における見込み方向（前後方向）の外側（部屋の室内側）の側面の略全体を覆う化粧体である。ここで、「室内側遮熱部７１における見込み方向（前後方向）のいずれか一方の外側の側面の略全体」とは、この側面の一部の範囲が除かれているものの、この側面全体の範囲と近似した範囲を意味する。この室内側化粧板７２は、例えば、鋼材（具体的には、スチール、ステンレス）等の不燃性を有する材質にて形成された公知の化粧板等を用いて構成されており、室内側遮熱部７１を部屋の室内側から覆うように設けられている。
【００５３】
ここで、室内側化粧板７２の設置位置及び形状については、扉１の意匠性を維持し、且つ、部屋の室内側で発生した火災の熱が室内側化粧板７２を介して扉体２０の室外側表面材４１及び室内側表面材４２に伝達されることを抑制できるように設定されている限り、任意に設定することができる。実施の形態１においては、室内側遮熱部７１は、室内側遮熱部７１の側面のうち、部屋の室内側の側面全体、戸先側の側面の一部、戸尻側の側面の一部、上側面の一部、及び下側面の一部が覆われるように設けられ、且つ、室内側化粧板７２が扉体２０の室外側表面材４１及び室内側表面材４２と接触しないように設けられている。
【００５４】
具体的には、この室内側化粧板７２によって覆われる領域については、以下に示す通りに設定されている（ただし、部屋の室内側の側面に対応する領域については省略する）。すなわち、上記戸先側の側面の一部に対応する領域において、前後方向の領域については、図３に示すように、室内側遮熱部７１における戸先側の側面の後端部から前端部よりも若干後側部分に至るまでの長さと略同一又はそれよりも若干短くなるように、当該後端部から前方に向けて所定距離Ｌ６に至る領域に設定されている。また、上下方向の領域については、室内側遮熱部７１における戸先側の側面の上下方向の全長（又は、それよりも若干短い長さ）にわたる領域に設定されている（なお、上記戸尻側の側面の一部に対応する領域についても同様とする）。また、上記上側面の一部に対応する領域において、前後方向の領域については、図４に示すように、室内側遮熱部７１の上側面の後端部から前端部よりも若干後側部分に至るまでの長さと略同一又はそれよりも若干短くなるように、当該後端部から前方に向けて所定距離Ｌ７に至る領域に設定されている。また、左右方向の領域については、室内側遮熱部７１の上側面の左右方向の全長（又は、それよりも若干短い長さ）にわたる領域に設定されている（なお、上記下側面の一部に対応する領域についても同様とする）。このような設置位置及び形状により、室内側遮熱部７１における部屋の室内側の側面が外部から非露出状にすることができるので、室内側化粧板７２を設けない場合に比べて、例えば、室内側遮熱部７１が外力を受けることによって当該室内側遮熱部７１が損傷することを回避できると共に、室内側遮熱部７１に比べて塗装が容易な室内側化粧板７２で室内側遮熱部７１を覆うことから、扉１とその周囲に設けられている部材との意匠上の統一性が図りやすくなるため、扉１の意匠性を維持しやすくなる。また、部屋の室内側で発生した火災の熱が室内側化粧板７２を介して扉体２０の室外側表面材４１及び室内側表面材４２に伝達されることを抑制できる。
【００５５】
また、これら室内側遮熱部７１及び室内側化粧板７２の固定方法については任意であるが、実施の形態１においては、図３、図４に示すように、室内側化粧板７２に形成された取付孔（図示省略）、室内側遮熱部７１に形成された取付孔（図示省略）、扉体２０の室内側表面材４２に形成された取付孔（図示省略）、及び、扉体２０の戸先側縦力骨３１、戸尻側縦力骨３２、上側横力骨３３、下側横力骨３４、又は中骨３５の室内側片３８に形成された取付孔（図示省略）を介して、室内側遮熱部７１及び室内側化粧板７２を戸先側縦力骨３１、戸尻側縦力骨３２、上側横力骨３３、下側横力骨３４、又は中骨３５に対して固定具７３により固定する。
【００５６】
以上のような室内側遮熱体７０により、扉１の意匠性及び遮熱性能を一層維持することが可能になる。
【００５７】
（構成−扉体と枠体との相互間の遮熱構造）
続いて、扉体２０と枠体１０との相互間の遮熱構造について説明する。扉１の遮熱性能を向上させるための遮熱構造として、第１熱膨張耐火部材８１及び第２熱膨張耐火部材８２が設けられている。
【００５８】
第１熱膨張耐火部材８１及び第２熱膨張耐火部材８２は、扉体２０と枠体１０との相互間に形成されている隙間を塞ぐための熱膨張耐火部材である。これら第１熱膨張耐火部材８１及び第２熱膨張耐火部材８２は、例えば、所定温度（具体的には、１５０℃〜２５０℃の温度）で加熱されることで発泡する公知の熱膨張耐火部材（具体的には、フィブロック（登録商標）等）を用いて構成されている。そして、第１熱膨張耐火部材８１は、扉体２０、室外側化粧板６２、又は室内側化粧板７２に対して両面テープや接着剤等によって固定されていると共に、第２熱膨張耐火部材８２は、扉枠３０に対して両面テープや接着剤等によって固定されている。
【００５９】
ここで、第１熱膨張耐火部材８１及び第２熱膨張耐火部材８２の設置位置については、部屋の室外側又は室内側のいずれか一方で発生した火災の熱が部屋の室外側又は室内側のいずれか他方に伝わることを抑制することができる限り、任意に設定することができる。実施の形態１においては、第１熱膨張耐火部材８１又は第２熱膨張耐火部材８２は、扉体干渉回避空間ＤＳ１及びその近傍位置、扉体干渉回避空間ＤＳ２及びその近傍位置、扉体干渉回避空間ＤＳ３及びその近傍位置、並びに扉体干渉回避空間ＤＳ４及びその近傍位置に設けられている。
【００６０】
このうち、扉体干渉回避空間ＤＳ１及びその近傍位置に対する具体的な設置位置については、図３に示すように、第１熱膨張耐火部材８１が、扉体２０の室内側表面材４２における部屋の室内側の側面のうち、扉体干渉回避空間ＤＳ１及びその近傍に対応する部分（ただし、後述するラッチに対応する部分及びその近傍部分は除く）、及び、室内側化粧板７２の戸先側の側面に設けられている。また、第２熱膨張耐火部材８２が、枠体１０の戸先側縦枠１１における扉体干渉回避空間ＤＳ１に対応する側面（ただし、デッドボルト受け及びラッチ受けに対応する部分及びその近傍部分は除く）に設けられている。また、扉体干渉回避空間ＤＳ２及びその近傍位置に対する具体的な設置位置については、図３に示すように、第１熱膨張耐火部材８１が、扉体２０の室外側表面材４１における部屋の室外側の側面のうち、ヒンジ部干渉回避空間ＨＳに対応する部分、扉体２０の室内側表面材４２における部屋の室内側の側面のうち、扉体干渉回避空間ＤＳ２及びその近傍に対応する部分、及び、室内側化粧板７２の戸尻側の側面に設けられている。また、扉体干渉回避空間ＤＳ３及びその近傍位置に対する具体的な設置位置については、図４に示すように、第１熱膨張耐火部材８１が、扉体２０の室内側表面材４２における部屋の室内側の側面のうち、扉体干渉回避空間ＤＳ３及びその近傍に対応する部分、室外側化粧板６２の上側面、及び室内側化粧板７２の上側面に設けられている。また、扉体干渉回避空間ＤＳ４及びその近傍位置に対する具体的な設置位置については、図４に示すように、第１熱膨張耐火部材８１が、扉体２０の室内側表面材４２の下側面、及び室外側化粧板６２の下側面に設けられている。なお、上述した各側面に設けられる第１熱膨張耐火部材８１又は第２熱膨張耐火部材８２の設置領域の設定については、実施の形態１では、第１熱膨張耐火部材８１又は第２熱膨張耐火部材８２の膨張率や厚み等に応じて異なり得ることから、実験等により設定されるが、具体的には、上述した各側面の全域又はそれよりも若干狭い領域を設置領域として設定されている。このような設置位置により、部屋の室外側又は室内側のいずれか一方で火災の熱が発生した場合に、第１熱膨張耐火部材８１又は第２熱膨張耐火部材８２によって、扉体２０と枠体１０との相互間に形成されている隙間を効果的に塞ぐことができる。
【００６１】
以上のような扉体２０と枠体１０との相互間の遮熱構造により、部屋の室外側又は室内側のいずれか一方で火災の熱が発生した場合には、当該火災の熱により膨張された第１熱膨張耐火部材８１及び第２熱膨張耐火部材８２によって、当該火災の熱が扉体２０と枠体１０との相互間に形成されている隙間を介して部屋の室外側又は室内側のいずれか他方に伝わることを抑制することができるので、扉１の遮熱性能をさらに一層向上させることが可能になる。
【００６２】
（構成−扉の作用）
このように構成された扉１の作用について説明する。
【００６３】
例えば、扉体２０によって開口部を全閉した全閉状態において、部屋の外（避難通路）で火災が発生した場合には、当該火災の熱によって室外側化粧板６２が加熱される。この場合において、上記火災の熱の一部が、室外側化粧板６２から扉体２０に伝導しようとすると、室外側遮熱部６１によって室外側化粧板６２と扉体２０との相互間での熱伝導が抑制されると共に、室外側化粧板６２が室外側表面材４１と接触しないように設けられていることで、室外側化粧板６２と扉体２０との相互間での熱伝導がさらに抑制される。また、上記火災の熱の他の一部が、扉体２０と枠体１０との相互間に形成されている隙間を介して部屋の室内側に伝導しようとすると、上記火災の熱によって第１熱膨張耐火部材８１及び第２熱膨張耐火部材８２が膨張することにより、当該膨張した第１熱膨張耐火部材８１及び第２熱膨張耐火部材８２によって上記隙間が塞がれるため、上記火災の熱の他の一部の伝導が抑制される。以上のことから、上記火災の熱が、室外側化粧板６２を介して扉体２０に伝導したり、上記隙間を介して部屋の室内側に伝わることを抑制できるので、上記火災時において、部屋の内部が急激に熱せられることを抑制することが可能となる。
【００６４】
また、例えば、全閉状態において部屋の内で火災が発生した場合には、当該火災の熱によって室内側化粧板７２が加熱される。この場合において、上記火災の熱の一部が、室内側化粧板７２から扉体２０に伝導しようとすると、室内側遮熱部７１によって室内側化粧板７２と扉体２０との相互間での熱伝導が抑制されると共に、室内側化粧板７２が室内側表面材４２と接触しないように設けられていることで、室外側化粧板６２と扉体２０との相互間での熱伝導がさらに抑制される。また、上記火災の熱の他の一部が、扉体２０と枠体１０との相互間に形成されている隙間を介して部屋の室外側に伝導しようとすると、上記火災の熱によって第１熱膨張耐火部材８１及び第２熱膨張耐火部材８２が膨張することにより、当該膨張した第１熱膨張耐火部材８１及び第２熱膨張耐火部材８２によって上記隙間が塞がれるため、上記火災の熱の他の一部の伝導が抑制される。以上のことから、上記火災の熱が、室内側化粧板７２を介して扉体２０に伝導したり、上記隙間を介して部屋の室外側に伝わることを抑制できるので、上記火災時において、人が避難通路を通って避難することが妨げられることを回避できる。
【００６５】
（構成−扉体のその他の構成）
続いて、扉体２０のその他の構成について説明する。実施の形態１においては、扉体２０の戸先側には、把手２１、ラッチ（図示省略）、施錠装置（図示省略）、及びドアクローザ２２が設けられている。
【００６６】
把手２１は、ユーザが扉体２０の開閉操作を行うためのものであり、扉体２０の部屋の室外側の側面及び部屋の室内側の側面における相互に対応する位置に設けられている。この把手２１の固定方法については任意であるが、例えば、まず、室外側化粧板６２に形成された取付孔（図示省略）、室外側遮熱部６１に形成された取付孔（図示省略）、扉体２０の室外側表面材４１に形成された取付孔（図示省略）、扉体２０の室内側表面材４２に形成された取付孔（図示省略）、室内側遮熱部７１に形成された取付孔（図示省略）、及び室内側化粧板７２に形成された取付孔（図示省略）に把手２１の回転軸（図示省略）を挿通する。次いで、この挿通した回転軸を室外側化粧板６２及び室内側化粧板７２の各々に設けられた固定部材（図示省略）に対して回転可能に固定する。そして、この回転軸の前端部及び後端部の各々に対して把手２１の把手本体部２１ａを固定する。
【００６７】
また、ラッチは、施錠装置による施錠の有無に関わらず、全閉状態の位置に扉体２０を維持するためのものである。このラッチは、扉体２０の内部に設けられた連動機構（図示省略）を介して把手２１と連結されており、ユーザによる把手２１の操作に連動して、ラッチを扉体２０の戸先側の側面から出し入れすることができる。これにより、全閉状態において、このラッチを戸先側縦枠１１に設けられたラッチ受けに係止させることにより、扉体２０を全閉状態の位置に維持することができる。
【００６８】
また、施錠装置は、扉体２０を施錠するための装置である。この施錠装置は、デッドボルト（図示省略）を備えて構成されており、具体的には、ユーザが扉体２０の前方から鍵操作を行うことにより、デッドボルトを扉体２０の戸先側の側面から出し入れすることができ、全閉状態において、このデッドボルトを戸先側縦枠１１に設けられたデッドボルト受けに係止させることで、扉体２０を施錠することができる。
【００６９】
ドアクローザ２２は、扉体２０が開かれた場合に、この扉体２０を安全な速度で自動的に閉じるためのものであると共に扉体２０の回動状態として扉体２０が所定位置以上に開かれた状態になることを規制するためのものである。このドアクローザ２２は、当該ドアクローザ２２のアーム部２２ａを前後方向に向けて回転させることができ、扉体２０を開放位置に位置させた状態で、扉体２０が開けられる際の力を復元力として利用しながら、当該ドアクローザ２２の本体部２２ｂに収納されたダンパ部（図示省略）によって急激な戻りを抑制することができる。また、ドアクローザ２２の固定方法については任意であるが、例えば、まず、ドアクローザ２２のアーム部２２ａを枠体１０の上側横枠１３に対して固定具によって固定する。次いで、室内側化粧板７２に形成された取付孔（図示省略）、室内側遮熱部７１に形成された取付孔（図示省略）、扉体２０の室内側表面材４２に形成された取付孔（図示省略）、及び扉体２０の上側横力骨３３（又は扉体２０の内部に設けられた図示しないライナ等）に形成された取付孔（図示省略）を介して、ドアクローザ２２の本体部２２ｂを扉体２０と連結するための連結部材（図示省略）を上側横力骨３３に対して固定具により固定する。そして、ドアクローザ２２の本体部２２ｂを、連結部材に対して固定具により固定する。
【００７０】
（効果）
このように実施の形態１によれば、扉体２０の室外側表面材４１における第１外側面Ｆ１の略全体、及び扉体２０の室内側表面材４２における第２外側面Ｆ２の略全体を覆う室外側遮熱部６１及び室内側遮熱部７１を備えているので、室外側遮熱部６１及び室内側遮熱部７１によって、扉体２０の見込み方向（前後方向）のいずれか一方側で発生した火災の熱が扉体２０に伝導することを抑制することができる。これにより、上記火災が発生した場合でも、室外側表面材４１と室内側表面材４２との相互間で温度差が生じにくくなることから、扉１全体が反り変形することを回避できる。よって、室外側遮熱部６１及び室内側遮熱部７１を設けない場合に比べて、上記扉１の反り変形によって、扉１と枠体１０との相互間に隙間が生じることにより、この隙間を介して上記火災の熱が見込み方向に伝わることを回避できる。また、室外側遮熱部６１及び室内側遮熱部７１における見込み方向（前後方向）の外側の側面の略全体を覆う、不燃性を有する室外側化粧板６２及び室内側化粧板７２を備えているので、室外側遮熱部６１及び室内側遮熱部７１における見込み方向（前後方向）の外側の側面の略全体を外部から非露出状にすることができ、室外側化粧板６２及び室内側化粧板７２を設けない場合に比べて、例えば、室外側遮熱部６１又は室内側遮熱部７１が外力を受けることによって当該室外側遮熱部６１又は当該室内側遮熱部７１が損傷することを回避できると共に、室外側遮熱部６１に比べて塗装が容易な室外側化粧板６２で室外側遮熱部６１を覆い、且つ、室内側遮熱部７１に比べて塗装が容易な室内側化粧板７２で室内側遮熱部７１を覆うことから、扉１とその周囲に設けられている部材との意匠上の統一性が図りやすくなる。以上のことから、従来技術に比べて、扉１の意匠性及び遮熱性能を維持することが可能になる。
【００７１】
また、扉体２０の室外側表面材４１における第１外側面Ｆ１の略全体、及び扉体２０の室内側表面材４２における第２外側面Ｆ２の略全体が室外側遮熱部６１及び室内側遮熱部７１によって覆われるように、室外側遮熱部６１及び室内側遮熱部７１を室外側表面材４１及び室内側表面材４２にそれぞれ設けたので、扉体２０の室外側表面材４１における第１外側面Ｆ１の略全体、又は扉体２０の室外側表面材４１における第２外側面Ｆ２の略全体のいずれか一方のみが室外側遮熱部６１又は室内側遮熱部７１によって覆われる場合に比べて、扉１の意匠性及び遮熱性能を一層維持することが可能となる。
【００７２】
また、室外側化粧板６２及び室内側化粧板７２を、扉体２０の室外側表面材４１及び扉体２０の室内側表面材４２と接触しないように設けたので、扉体２０よりも室外側化粧板６２（又は室内側化粧板７２）側で発生した火災の熱が室外側化粧板６２（又は室内側化粧板７２）を介して扉体２０の室外側表面材４１及び扉体２０の室内側表面材４２に伝達されることを抑制でき、扉１の遮熱性能を一層向上させることが可能になる。
【００７３】
また、扉体２０、室外側遮熱部６１、室内側遮熱部７１、室外側化粧板６２、又は室内側化粧板７２の少なくともいずれか１つに設けられた第１熱膨張耐火部材８１であって、全閉状態において扉体２０の周辺で火災が発生した場合に、第１熱膨張耐火部材８１が火災の熱で膨張することにより、扉体２０、室外側遮熱部６１、室内側遮熱部７１、室外側化粧板６２、又は室内側化粧板７２と枠体１０との相互間に形成されている隙間を塞ぐための第１熱膨張耐火部材８１を備えたので、上記隙間を介して上記火災の熱が伝わることを抑制することができ、扉１の遮熱性能をさらに一層向上させることが可能となる。
【００７４】
〔実施の形態２〕
次に、実施の形態２に係る扉について説明する。この実施の形態２は、室外側表面材における第１外側面全体を覆う室外側遮熱部、及び室内側表面材における第２外側面Ｆ２全体を覆う室内側遮熱部を備えた形態である。ただし、この実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００７５】
（構成）
まず、実施の形態２に係る扉の構成について説明する。実施の形態２に係る扉１０１については、実施の形態１に係る扉１とほぼ同様に構成されている。ただし、枠体１０、室外側遮熱体６０、及び室内側遮熱体７０の構成、並びに、及び扉体２０と枠体１０との相互間の遮熱構造の構成については、下記に示す工夫が施されている。
【００７６】
（構成−枠体の構成の詳細）
次に、枠体１０の構成の詳細について説明する。実施の形態２において、図５に示すように、枠体１０のうち、戸先側縦枠１１及び戸尻側縦枠１２の各々は、枠材１１０と、固定材１２０とを備えている。
【００７７】
ここで、枠材１１０の具体的な構成については任意であるが、実施の形態２では、戸先側縦枠１１の枠材１１０においては、図５に示すように、枠材１１０における扉体２０、室外側遮熱体６０、及び室内側遮熱体７０に対応する部分を、左右方向の外側に向けて凹ませることにより、扉体２０、室外側遮熱体６０、及び室内側遮熱体７０を収容しながら、枠材１１０と扉体２０（あるいは、室外側遮熱体６０又は室内側遮熱体７０）との干渉を回避することが可能な扉体干渉回避空間ＤＳ１が形成されている（なお、戸尻側縦枠１２の枠材１１０側の扉体干渉回避空間ＤＳ２の形成についても同様とする）。なお、実施の形態２においては、実施の形態１に係るヒンジ部干渉回避空間ＨＳが形成されないことから、図５に示すように、ヒンジ部５０の一部（例えば、上軸受５１、下軸５２等）が、戸尻側縦枠１２の枠材１１０よりも部屋の室外側に位置するように、ヒンジ部５０が設けられている。
【００７８】
また、図６に示すように、枠体１０のうち、上側横枠１３及び下側横枠１４の各々は、枠材１３０と、固定材１４０とを備えている。ここで、枠材１３０の具体的な構成については任意であるが、実施の形態２では、上側横枠１３の枠材１３０においては、図６に示すように、枠材１３０における扉体２０、室外側遮熱体６０、及び室内側遮熱体７０に対応する部分を、上下方向の外側に向けて凹ませることにより、扉体２０、室外側遮熱体６０、及び室内側遮熱体７０を収容しながら、枠材１３０と扉体２０（あるいは、室外側遮熱体６０又は室内側遮熱体７０）との干渉を回避することが可能な扉体干渉回避空間ＤＳ３が形成されている。また、下側横枠１４の枠材１３０においては、図６に示すように、扉体２０、室外側遮熱体６０、及び室内側遮熱体７０を収容しながら、枠材１３０と扉体２０（あるいは、室外側遮熱体６０又は室内側遮熱体７０）との干渉を回避することが可能な扉体干渉回避空間ＤＳ４が形成されるように、下側横枠１４の枠材１３０の上下方向の長さ（高さ）が設定されている。
【００７９】
（構成−室内側遮熱体の構成）
次に、室外側遮熱体６０の室外側遮熱部６１の設置位置及び形状については、実施の形態２では、図５、図６に示すように、室外側遮熱部６１が、扉体２０の室外側表面材４１における第１外側面Ｆ１全体が覆われるように設けられている。また、室外側遮熱体６０の室外側化粧板６２の設置位置及び形状については、実施の形態２では、図５、図６に示すように、実施の形態１に係る室外側化粧板６２の設置位置及び形状と略同様に、室外側化粧板６２が、室外側遮熱部６１の側面のうち、部屋の室外側の側面全体、戸先側の側面の一部、戸尻側の側面の一部、上側面の一部、及び下側面の一部が覆われるように設けられ、且つ、室外側化粧板６２が扉体２０の室外側表面材４１及び室内側表面材４２と接触しないように設けられている。
【００８０】
このような室外側遮熱体６０により、室外側遮熱部６１によって扉体２０の室外側表面材４１における第１外側面Ｆ１全体が覆われており、且つ、室外側化粧板６２によって室外側遮熱部６１における部屋の室外側の側面全体が覆われているので、実施の形態１に係る室外側遮熱体６０に比べて、扉１０１の意匠性及び遮熱性能を維持することが可能になる。
【００８１】
（構成−室内側遮熱体の構成）
次に、室内側遮熱体７０の室内側遮熱部７１の設置位置及び形状については、実施の形態２では、図５、図６に示すように、室内側遮熱部７１が、扉体２０の室内側表面材４２における第２外側面Ｆ２全体が覆われるように設けられている。また、室内側遮熱体７０の室内側化粧板７２の設置位置及び形状については、実施の形態２では、図５、図６に示すように、実施の形態１に係る室内側化粧板７２の設置位置及び形状と略同様に、室内側化粧板７２が、室内側遮熱部７１の側面のうち、部屋の室内側の側面全体、戸先側の側面の一部、戸尻側の側面の一部、上側面の一部、及び下側面の一部が覆われるように設けられ、且つ、室内側化粧板７２が扉体２０の室外側表面材４１及び室内側表面材４２と接触しないように設けられている。
【００８２】
このような室内側遮熱体７０により、室内側遮熱部７１によって扉体２０の室内側表面材４２における第２外側面Ｆ２全体が覆われており、且つ、室内側化粧板７２によって室内側遮熱部７１における部屋の室内側の側面全体が覆われているので、実施の形態１に係る室内側遮熱体７０に比べて、扉１０１の意匠性及び遮熱性能を維持することが可能になる。
【００８３】
（構成−扉体と枠体との相互間の遮熱構造）
次に、扉体２０と枠体１０との相互間の遮熱構造における第１熱膨張耐火部材８１及び第２熱膨張耐火部材８２の設置位置については、実施の形態２では、第１熱膨張耐火部材８１又は第２熱膨張耐火部材８２は、扉体干渉回避空間ＤＳ１及びその近傍位置、扉体干渉回避空間ＤＳ２及びその近傍位置、扉体干渉回避空間ＤＳ３及びその近傍位置、並びに扉体干渉回避空間ＤＳ４及びその近傍位置に設けられている。ここで、扉体干渉回避空間ＤＳ１及びその近傍位置に対する具体的な設置位置については、図５に示すように、第２熱膨張耐火部材８２が、枠体１０の戸先側縦枠１１における扉体干渉回避空間ＤＳ１に対応する側面（ただし、デッドボルト受け及びラッチ受けに対応する部分及びその近傍部分は除く）に設けられている。また、扉体干渉回避空間ＤＳ２及びその近傍位置に対する具体的な設置位置については、図５に示すように、第２熱膨張耐火部材８２が、枠体１０の戸尻側縦枠１２における扉体干渉回避空間ＤＳ２に対応する側面に設けられている。また、扉体干渉回避空間ＤＳ３及びその近傍位置に対する具体的な設置位置については、図６に示すように、第１熱膨張耐火部材８１が、室外側化粧板６２の上側面及び室内側化粧板７２の上側面に設けられている。また、扉体干渉回避空間ＤＳ４及びその近傍位置に対する具体的な設置位置については、図６に示すように、第１熱膨張耐火部材８１が、室外側化粧板６２の下側面及び室内側化粧板７２の下側面に設けられている。
【００８４】
このような扉体２０と枠体１０との相互間の遮熱構造により、実施の形態１に係る扉体２０と枠体１０との相互間の遮熱構造と同様に、部屋の室外側又は室内側のいずれか一方で火災の熱が発生した場合には、当該火災の熱により膨張された第１熱膨張耐火部材８１及び第２熱膨張耐火部材８２によって、当該火災の熱が扉体２０と枠体１０との相互間に形成されている隙間を介して部屋の室外側又は室内側のいずれか他方に伝わることを抑制することができるので、扉１０１の遮熱性能をさらに向上させることが可能になる。
【００８５】
（効果）
このように実施の形態２によれば、扉体２０の室外側表面材４１における第１外側面Ｆ１全体、及び扉体２０の室内側表面材４２における第２外側面Ｆ２全体が室外側遮熱部６１及び室内側遮熱部７１によって覆われるように、室外側遮熱部６１及び室内側遮熱部７１を室外側表面材４１及び室内側表面材４２にそれぞれ設けたので、実施の形態１に係る扉１に比べて、扉１０１の意匠性及び扉１０１の遮熱性能を維持することが可能となる。
【００８６】
〔III〕実施の形態に対する変形例
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【００８７】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。例えば、本発明に係る扉の遮熱性能が従来と同程度であっても、従来と異なる構造により従来と同程度の遮熱性能を確保できている場合には、本願の課題は解決している。
【００８８】
（形状、数値、構造、時系列について）
実施の形態や図面において例示した構成要素に関して、形状、数値、又は複数の構成要素の構造若しくは時系列の相互関係については、本発明の技術的思想の範囲内において、任意に改変及び改良することができる。
【００８９】
（ヒンジ部について）
上記実施の形態１、２では、ヒンジ部５０が、公知の旗蝶番を用いて構成されていると説明したが、これに限られず、例えば、公知のピボットヒンジを用いて構成されてもよい。この場合の固定方法については任意であるが、例えば、ヒンジ部５０のヒンジ部本体に形成された取付孔、室外側表面材４１に形成された取付孔、及び上側横力骨３３（又は下側横力骨３４）に形成された取付孔を介して、ヒンジ部本体を上側横力骨３３に対して固定具により固定する。次に、ヒンジ部５０の受け座に形成された取付孔、上側横枠１３（又は下側横枠１４）に形成された取付孔、上側横枠１３（又は下側横枠１４）の内部に設けられたライナに形成された取付孔を介して、受け座を上側横枠１３（又は下側横枠１４）に対して固定具により固定する。そして、扉体２０の上側及び下側に設けられたヒンジ部本体を、上側横枠１３及び下側横枠１４に設けられた受け座に差し込むことにより、このヒンジ部５０を介して扉体２０と上側横枠１３及び下側横枠１４の各々とを連結する。
【００９０】
（室外側遮熱体、室内側遮熱体について）
上記実施の形態１、２では、扉が室外側遮熱体６０と、室内側遮熱体７０とを備えていると説明したが、これに限られない。例えば、扉の設置コストを低減するために、室外側遮熱体６０又は室内側遮熱体７０のいずれか一方を省略してもよい。この場合において、例えば、室内側遮熱体７０のみを備えた扉については、部屋の中で火災が発生した場合には、室内側遮熱部７１によって、当該火災の熱が扉体２０に伝導することを抑制することができる。よって、部屋の室内側で火災が発生した場合でも、室外側表面材４１と室内側表面材４２との相互間で温度差が生じにくくなることから、扉全体が反り変形することを回避できる。よって、扉が室内側遮熱体７０のみを備えた場合でも、上記扉の反り変形によって、扉と枠体１０との相互間に隙間が生じることにより、この隙間を介して上記火災の熱が室内側に向けて伝わることを回避できる。また、室内側化粧板７２によって室内側遮熱部７１が覆われているので、室内側遮熱部７１を外部から非露出状にすることができる。以上のことから、従来技術に比べて、扉の意匠性及び遮熱性能を維持することが可能になる。
【００９１】
（扉体と枠体との相互間の遮熱構造について）
上記実施の形態１、２では、扉に、扉体２０と枠体１０との相互間の遮熱構造が設けられていると説明したが、これに限られず、例えば、扉の設置コストを低減するために、扉体２０と枠体１０との相互間の遮熱構造を省略してもよい。
【００９２】
（室外側遮熱部、室内側遮熱部について）
上記実施の形態１、２では、室外側遮熱部６１及び室内側遮熱部７１が、ケイ酸カルシウム板を用いて構成されていると説明したが、これに限られず、例えば、石膏ボード、グラスウール、ロックウール等の遮熱性を有する他の部材を用いて構成されてもよい。
【００９３】
また、上記実施の形態１、２では、扉体２０よりも部屋の室内側及び部屋の室外側に、室外側遮熱部６１及び室内側遮熱部７１が設けられていると説明したが、これに限られず、例えば、扉の遮熱性能をさらに向上させるために、扉体２０の内部に遮熱手段がさらに設けられてもよい。
【００９４】
（室外側化粧板、室内側化粧板について）
上記実施の形態１、２では、室外側化粧板６２及び室内側化粧板７２の各々が、室外側表面材４１及び室内側表面材４２に接触しないように設けられていると説明したが、これに限られない。例えば、扉の遮熱性能が十分確保できている場合には、室外側化粧板６２及び室内側化粧板７２の各々が、室外側表面材４１及び室内側表面材４２に接触するように設けられてもよい。
【００９５】
また、上記実施の形態１、２では、室外側化粧板６２が、部屋の室外側の側面全体、戸先側の側面の一部、戸尻側の側面の一部、上側面の一部、及び下側面の一部が覆われるように設けられていると説明したが、これに限られない。例えば、扉の意匠性が維持できる場合には、室外側化粧板６２が、部屋の室外側の側面全体のみ、あるいは、部屋の室外側の側面の略全体のみが覆われるように設けられてもよい（なお、室内側化粧板７２についても同様とする）。この場合には、第１熱膨張耐火部材８１が、室外側遮熱部６１の上側面又は下側面に設けられてもよい。
【００９６】
（付記）
付記１の扉は、建物の開口部を開閉する扉体であり、支持部材と、当該扉体の２つの主側面のいずれか一方を構成する第１表面材であって、少なくとも前記支持部材における見込み方向の一方側の側面の略全体を覆う第１表面材と、当該扉体の２つの主側面のいずれか他方を構成する第２表面材であって、少なくとも前記支持部材における見込み方向の他方側の側面の略全体を覆う第２表面材と、を有する扉体を備えた扉であって、前記扉体の前記第１表面材における見込み方向の外側の側面である第１外側面の略全体、又は、前記扉体の前記第２表面材における見込み方向の外側の側面である第２外側面の略全体の少なくともいずれか一方を覆う遮熱手段と、前記遮熱手段における見込み方向の外側の側面の略全体を覆う、不燃性を有する化粧板と、を備えている。
【００９７】
付記２の扉は、付記１に記載の扉において、前記扉体の前記第１表面材における前記第１外側面の略全体、及び前記扉体の前記第２表面材における前記第２外側面の略全体が前記遮熱手段によって覆われるように、当該遮熱手段を当該第１表面材及び当該第２表面材にそれぞれ設けた。
【００９８】
付記３の扉は、付記２に記載の扉において、前記化粧板を、前記扉体の前記第１表面材及び前記扉体の前記第２表面材と接触しないように設けた。
【００９９】
付記４の扉は、付記３に記載の扉において、前記扉体、前記遮熱手段、又は前記化粧板の少なくともいずれか１つに設けられた熱膨張耐火部材であって、前記扉体によって前記開口部を全閉した全閉状態において前記扉体の周辺で火災が発生した場合に、当該熱膨張耐火部材が前記火災の熱で膨張することにより、前記扉体、前記遮熱手段、又は前記化粧板と前記開口部の周縁に設けられた枠体との相互間に形成されている隙間を塞ぐための熱膨張耐火部材を備えた。
【０１００】
（付記の効果）
付記１に記載の扉によれば、扉体の第１表面材における第１外側面の略全体、又は、扉体の第２表面材における第２外側面の略全体の少なくともいずれか一方を覆う遮熱手段を備えているので、遮熱手段によって、扉体の見込み方向のいずれか一方側で発生した火災の熱が扉体に伝導することを抑制することができる。これにより、上記火災が発生した場合でも、第１表面材と第２表面材との相互間で温度差が生じにくくなることから、扉全体が反り変形することを回避できる。よって、遮熱手段を設けない場合に比べて、上記扉の反り変形によって、扉と開口部の周辺に設けられた枠体との相互間に隙間が生じることにより、この隙間を介して上記火災の熱が見込み方向に伝わることを回避できる。また、遮熱手段における見込み方向の外側の側面の略全体を覆う、不燃性を有する化粧板を備えているので、遮熱手段における見込み方向の外側の側面の略全体を外部から非露出状にすることができ、化粧板を設けない場合に比べて、例えば、遮熱手段が外力を受けることによって当該遮熱手段が損傷することを回避できると共に、遮熱手段に比べて塗装が容易な化粧板で遮熱手段を覆うことから、扉とその周囲に設けられている部材との意匠上の統一性が図りやすくなる。以上のことから、従来技術に比べて、扉の意匠性及び遮熱性能を維持することが可能になる。
【０１０１】
付記２に記載の扉によれば、扉体の第１表面材における第１外側面の略全体、及び扉体の第２表面材における第２外側面の略全体が遮熱手段によって覆われるように、当該遮熱手段を当該第１表面材及び当該第２表面材にそれぞれ設けたので、扉体の第１表面材における第１外側面の略全体、又は扉体の第２表面材における第２外側面の略全体のいずれか一方のみが遮熱手段によって覆われる場合に比べて、扉の意匠性及び遮熱性能を一層維持することが可能となる。
【０１０２】
付記３に記載の扉によれば、化粧板を、扉体の第１表面材及び扉体の第２表面材と接触しないように設けたので、扉体よりも化粧板側で発生した火災の熱が化粧板を介して扉体の第１表面材及び扉体の第２表面材に伝達されることを抑制でき、扉の遮熱性能を一層向上させることが可能になる。
【０１０３】
付記４に記載の扉によれば、扉体、遮熱手段、又は化粧板の少なくともいずれか１つに設けられた熱膨張耐火部材であって、全閉状態において扉体の周辺で火災が発生した場合に、当該熱膨張耐火部材が火災の熱で膨張することにより、扉体、遮熱手段、又は化粧板と枠体との相互間に形成されている隙間を塞ぐための熱膨張耐火部材を備えたので、上記隙間を介して上記火災の熱が伝わることを抑制することができ、扉の遮熱性能をさらに一層向上させることが可能となる。
【符号の説明】
【０１０４】
１、１０１  扉
２  開口部
１０  枠体
１１  縦枠（戸先側縦枠）
１２  縦枠（戸尻側縦枠）
１３  横枠（上側横枠）
１４  横枠（下側横枠）
２０  扉体
２１  把手
２１ａ  把手本体部
２２  ドアクローザ
２２ａ  アーム部
２２ｂ  本体部
３０  扉枠
３１  縦力骨（戸先側縦力骨）
３２  縦力骨（戸尻側縦力骨）
３３  横力骨（上側横力骨）
３４  横力骨（下側横力骨）
３５  中骨
３６  中央片
３７  室外側片
３８  室内側片
４１  表面材（室外側表面材）
４２  表面材（室内側表面材）
５０  ヒンジ部
５１  上軸受
５２  下軸
５３  上支持片
５４  ライナ
６０  室外側遮熱体
６１  室外側遮熱部
６２  室外側化粧板
６３  固定具
７０  室内側側遮熱体
７１  室内側遮熱部
７２  室内側化粧板
７３  固定具
８１  第１熱膨張耐火部材
８２  第２熱膨張耐火部材
１１０  枠材
１２０  固定材
１３０  枠材
１４０  固定材
ＤＳ１、ＤＳ２、ＤＳ３、ＤＳ４  扉体干渉回避空間
Ｆ１  第１外側面
Ｆ２  第２外側面
ＨＳ  ヒンジ部干渉回避空間
Ｌ１、Ｌ２、Ｌ３、Ｌ４、Ｌ５、Ｌ６、Ｌ７  所定距離
【図１】
0006718215.tif 000002
【図２】
0006718215.tif 000003
【図３】
0006718215.tif 000004
【図４】
0006718215.tif 000005
【図５】
0006718215.tif 000006
【図６】
0006718215.tif 000007